(57)【要約】    【課題】  ピアノ線、セルロイド板、その他の不正部材の挿入による不正行為を簡単な構造で効果的に防止できるようにする。    【解決手段】  遊技盤５の前側に、その遊技領域１３を視認可能な透明板４５を有する開閉扉６を備え、開閉扉６側に、遊技盤５のガイドレール１４よりも外周側で遊技盤５側へと突出して遊技領域１３への不正部材の挿入を防止する挿入防止壁４９を設ける。透明板４５の外周側をその全周で保持する保持部材４６とを有する透明板ユニット４４を備え、保持部材４６に挿入防止壁４９を設ける。【選択図】  図２
2010162383.tif 000002
【特許請求の範囲】
【請求項１】
遊技盤（５）の前側に、その遊技領域（１３）を視認可能な透明板（４５）を有する開閉扉（６）を備えた弾球遊技機において、前記開閉扉（６）側に、前記遊技盤（５）のガイドレール（１４）よりも外周側で前記遊技盤（５）側へと突出して前記遊技領域（１３）への不正部材の挿入を防止する挿入防止壁（４９）を設けたことを特徴とする弾球遊技機。
【請求項２】
前後方向に複数枚の前記透明板（４５）と、該透明板（４５）の外周側をその全周で保持する保持部材（４６）とを有する透明板ユニット（４４）を備え、前記保持部材（４６）に前記挿入防止壁（４９）を設けたことを特徴とする請求項１に記載の弾球遊技機。
【請求項３】
前記遊技盤（５）側に、前記挿入防止壁（４９）の内側近傍で該挿入防止壁（４９）の後端よりも前側に突出する突出壁（５０）を設けたことを特徴とする請求項１又は２に記載の弾球遊技機。
【請求項４】
前記挿入防止壁（４９）の後端部に前記ガイドレール（１４）の前端側が嵌合する凹部（５７）を形成したことを特徴とする請求項１〜３の何れかに記載の弾球遊技機。
【発明の詳細な説明】
【技術分野】
【０００１】
本発明は弾球遊技機に関し、遊技盤と開閉扉との間から遊技領域へとピアノ線その他の不正部材を挿入する不正行為を防止できるようにしたものである。
【背景技術】
【０００２】
例えば、パチンコ機は、遊技盤の遊技領域に大入賞手段、普通入賞手段等の各種の入賞手段を配置し、発射手段から発射された遊技球をガイドレールを経て遊技領域へと案内し、その遊技球が入賞手段に入賞したときに、その入賞条件に応じて所定数の遊技球を賞球として払い出すようにしている。
【０００３】
この種のパチンコ機では、遊技盤を前枠に装着する一方、遊技盤の前側を必要に応じて開閉できるように開閉扉を前枠に開閉自在に枢着し、この開閉扉のガラス窓を介して遊技盤の遊技領域を視認できるようにしている。このため開閉扉を閉じたときに前枠との間に隙間が生じるように何らかの不正工作をしておき、その隙間から遊技領域へとピアノ線、セルロイド板その他の不正部材を挿入して、この不正部材により入賞手段を作動させる等の不正行為が行われる惧れがある。
【０００４】
このような不正行為の防止対策として、例えば前枠の前面に、弾性材により構成された不正防止部材を装着し、開閉扉を閉じたときに不正防止部材が開閉扉の裏側に接触して、前枠と開閉扉との間に隙間が発生しないようにしたものがある（特許文献１）。
【先行技術文献】
【特許文献】
【０００５】
【特許文献１】特開２００４−２７５２５７号公報
【発明の概要】
【発明が解決しようとする課題】
【０００６】
従来の防止対策は、前枠の前面に不正防止部材を装着すればよいので、構造的に簡単であるという利点がある。しかし、弾性材により構成された不正防止部材を使用しているため、開閉扉に沿ってピアノ線、セルロイド板等を挿入して行けば、不正防止部材がその弾性により変形して、ピアノ線、セルロイド板等が遊技領域に到達する惧れがあり、ピアノ線、セルロイド板等の挿入に対する対策としては万全といい得ない欠点がある。
【０００７】
本発明は、このような従来の問題点に鑑み、ピアノ線、セルロイド板、その他の不正部材の挿入による不正行為を簡単な構造で効果的に防止できる弾球遊技機を提供することを目的とする。
【課題を解決するための手段】
【０００８】
本発明は、遊技盤５の前側に、その遊技領域１３を視認可能な透明板４５を有する開閉扉６を備えた弾球遊技機において、前記開閉扉６側に、前記遊技盤５のガイドレール１４よりも外周側で前記遊技盤５側へと突出して前記遊技領域１３への不正部材の挿入を防止する挿入防止壁４９を設けたものである。
【０００９】
前後方向に複数枚の前記透明板４５と、該透明板４５の外周側をその全周で保持する保持部材４６とを有する透明板ユニット４４を備え、前記保持部材４６に前記挿入防止壁４９を設けてもよい。前記遊技盤５側に、前記挿入防止壁４９の内側近傍で該挿入防止壁４９の後端よりも前側に突出する突出壁５０を設けてもよい。前記挿入防止壁４９の後端部に前記ガイドレール１４の前端側が嵌合する凹部５７を形成してもよい。
【発明の効果】
【００１０】
本発明では、挿入防止壁とガイドレールとによりピアノ線その他の不正部材の遊技領域への挿入を阻止でき、不正部材の遊技領域への挿入による不正行為を簡単な構造で効果的に防止できる。
【図面の簡単な説明】
【００１１】
【図１】本発明の第１の実施例を示すパチンコ機の正面図である。
【図２】図１のＡ−Ａ矢視拡大断面図である。
【図３】図１のＡ−Ｂ矢視拡大断面図である。
【図４】本発明の第１の実施例を示す遊技盤の正面図である。
【図５】本発明の第１の実施例を示す遊技盤の斜視図である。
【図６】本発明の第１の実施例を示す要部の拡大斜視図である。
【図７】本発明の第１の実施例を示すガラスユニットの正面図である。
【図８】本発明の第２の実施例を示す遊技盤の正面図である。
【図９】本発明の第２の実施例を示す要部の断面図である。
【図１０】本発明の第３の実施例を示す要部の断面図である。
【図１１】本発明の第４の実施例を示す要部の断面図である。
【図１２】本発明の第５の実施例を示す要部の断面図である。
【図１３】比較例を示すガラス扉の断面図である。
【図１４】本発明の第６の実施例を示す要部の断面図である。
【図１５】本発明の第７の実施例を示す要部の断面図である。
【図１６】本発明の第８の実施例を示す要部の断面図である。
【発明を実施するための形態】
【００１２】
以下、本発明の各実施例を図面に基づいて詳述する。図１〜図７は本発明をパチンコ機に採用した第１の実施例を例示する。図１において、１は遊技機本体で、矩形枠状の外枠２と、この外枠２の前側に配置された前枠３とを備えている。前枠３はその左右方向の一側で上下一対のヒンジ４を介して外枠２に着脱及び開閉自在に装着されている。
【００１３】
前枠３の上部側には遊技盤５と、この遊技盤５の前側にガラス扉（開閉扉）６とが配置され、ガラス扉６の下側に隣接して前面板７が夫々配置されている。遊技盤５は前枠３の遊技盤装着部８に前側から嵌め込まれ、固定具（図示省略）により着脱自在に固定されている。ガラス扉６、前面板７はヒンジ４と同一側のヒンジ（図示省略）により前枠３に開閉自在に枢支されている。ガラス扉６の下部には発射用の遊技球を貯留する発射球供給皿９が装着されている。前枠３の下部には、余剰球を貯留する余剰球受け皿１０と、発射手段１１の発射ハンドル１２とが夫々設けられている。
【００１４】
遊技盤５には、図４及び図５に示すように、発射手段１１によって発射された遊技球を遊技領域１３へと案内する外ガイドレール１４及び内ガイドレール１５が前面に環状に装着されると共に、その外周側に合成樹脂製の飾り部材１６〜１８が装着されており、ガイドレール１４，１５及びこれと反対側の飾り部材１７により取り囲まれた内側が遊技領域１３となっている。そして、遊技盤５には、その遊技領域１３の上部側に特別図柄、演出画像等を表示する液晶表示手段１９が装着され、また液晶表示手段１９の下側に特別図柄始動手段２０、大入賞手段２１、普通入賞手段２２、その他の遊技部品が配置されている。
【００１５】
各飾り部材１６〜１８はガイドレール１４，１５と略同一高さとなっている。飾り部材１７は遊技領域１３の下側から内ガイドレール１５と反対の一側部を経て、遊技領域１３の上部側に位置する外ガイドレール１４の終端側へと円弧状に配置されている。そして、この飾り部材１７の内周壁１７ａは、ガイドレール１４，１５と略同一高さの円弧状に形成されており、ガイドレール１４，１５と共に遊技領域１３を取り囲んでいる。飾り部材１７には遊技盤５の下部側でガイドレール１４，１５と反対側の隅に、他の部分よりも一段低くなった証紙貼付部２３が平坦状に形成されている。
【００１６】
飾り部材１６は外ガイドレール１４の外側で遊技盤５の他側下部に配置されている。飾り部材１８は飾り部材１７の上端側と飾り部材１６の上側との間で外ガイドレール１４の外側に円弧状に配置されている。なお、飾り部材１８は左上縁部２４、右上縁部２５及び側縁部２６に３分割するか、又は上縁部２４，２５と側縁部２６とに２分割してもよい。飾り部材１６〜１８は一体でもよい。
【００１７】
飾り部材１７には、その下縁部２７の前面側の下端縁に段部２８が左右方向に直線状に形成され、またガイドレール１４と反対側の下側縁部２９の証紙貼付部２３から上側縁部３０の外ガイドレール１４の終端部外側に渡って前面の中間部分に円弧状に凹部３１，３２が形成されている。飾り部材１８の前面側には、外ガイドレール１４の上縁部２４，２５の一端から側縁部２６の上部分に円弧状に凹部３３が形成され、この凹部３３と側縁部２６の下端側との間の内周縁に凹部３３に連続するように円弧状に段部３４が形成されている。
【００１８】
なお、外ガイドレール１４の下端と飾り部材１７の下縁部２７との間は、発射手段１１から発射された遊技球がガイドレール１４，１５側へと入る入口部３５となっており、この入口部３５から上側の外ガイドレール１４と内ガイドレール１５との間が遊技球の案内通路３６となっている。
【００１９】
ガラス扉６は遊技領域１３に対応する窓孔４３を有する扉枠４０と、この扉枠４０を裏側から補強する補強板４１と、扉枠４０の前側に装着された化粧カバー４２と、扉枠４０の裏側に窓孔４３に対応して着脱自在に装着されたガラスユニット（透明板ユニット）４４とを備えている。
【００２０】
ガラスユニット４４は図６、図７に示すように、前後所定の間隔を置いて配置された２枚のガラス板（透明板）４５と、このガラス板４５を外周側で保持する保持部材４６とを備え、その保持部材４６に周方向に所定の間隔を置いて一体に形成された取り付け部５２を介してネジ、その他の固定手段により扉枠４０の裏側に着脱自在に固定されている。
【００２１】
保持部材４６は合成樹脂製であって、２枚のガラス板４５に対応して前後両側に形成された一対のガラス受け部４７と、この各ガラス受け部４７の外周から前後方向の反対側に突出する周壁部４８とを一体に有し、環状に構成されている。各ガラス受け部４７には各ガラス板４５の外周部が接着等により固定され、そのガラス板４５の外周を周壁部４８で保護するようになっている。
【００２２】
前後の周壁部４８の内、前側の周壁部４８はガラス板４５の厚さと略同程度の高さであり、裏側の周壁部４８はガラス板４５の厚さよりも大である。この裏側の周壁部４８のガラス板４５よりも裏側に突出する部分が、ピアノ線、セルロイド板等の不正部材の遊技領域１３への挿入を阻止する挿入防止壁４９となっている。
【００２３】
そして、この挿入防止壁４９は、ガラス扉６を閉じたとき、ガイドレール１４，１５、内周壁１７ａの外周において、その飾り部材１７の段部２８及び凹部３１，３２、飾り部材１８の凹部３３及び段部３４に対応してその内部前面に当接又は近接すると共に、飾り部材１６の外周近傍を経て遊技領域１３を取り囲んでいる。なお、飾り部材１７，１８の段部２８，３４、凹部３１，３２の内周面、飾り部材１６の外周面１６ａが、例えば図６に示すように、挿入防止壁４９の内側近傍で挿入防止壁４９の後端よりも前側に突出する突出壁５０となっており、これらの突出壁５０と挿入防止壁４９との間に、前後方向に屈曲してピアノ線等の挿入を阻止する屈曲隘路５１が形成されている。
【００２４】
このように構成すれば、単にガイドレール１４，１５側を含む遊技領域１３の全域をガラスユニット４４のガラス板４５を介して視認できるだけでなく、ガラスユニット４４の保持部材４６に一体の挿入防止壁４９がガイドレール１４，１５の外側で飾り部材１７，１８の段部２８，３４、凹部３１，３２等に対応しており、その挿入防止壁４９の内側に飾り部材１６〜１８により形成された突出壁５０があるので、遊技領域１３へとピアノ線その他の部材を挿入しようとしても、挿入防止壁４９及び突出壁５０によってピアノ線等の挿入を阻止することができる。
【００２５】
また挿入防止壁４９はガラスユニット４４の保持部材４６に一体に設けているので、ガラスユニット４４側に設けているにも拘わらず、その構造が非常に簡単であり、容易且つ安価に実施することができる。
【００２６】
図８、図９は本発明の第２の実施例を例示する。ガラスユニット４４は、保持部材４６の周溝５４に各ガラス板４５を嵌め込んで保持する構造となっている。そして、この保持部材４６の全周に、外ガイドレール１４、飾り部材１７，１８の外周側で遊技盤５側へと突出する環状の挿入防止壁４９が設けられている。遊技盤５には外ガイドレール１４、飾り部材１７，１８の外周側に周溝５５が形成され、ガラス扉６を閉じたときに、挿入防止壁４９の後端縁が周溝５５に嵌合するようになっている。
【００２７】
なお、挿入防止壁４９には、飾り部材１７，１８と外ガイドレール１４との間の入口部３５に対応する部分に切欠き部を形成し、発射手段１１から入口部３５に入る遊技球の障害とならないようになっている。また遊技盤５の周溝５５の内周側が、挿入防止壁４９の後端よりも前側に突出する突出壁５０となっている。
【００２８】
このように構成しても、挿入防止壁４９によりピアノ線その他の遊技領域１３側への挿入を阻止することができる。
【００２９】
図１０は本発明の第３の実施例を例示する。保持部材４６に一体の挿入防止壁４９は、図１０に示すように遊技盤５の前面に近接する程度の長さとしてもよい。なお、飾り部材１７，１８によって突出壁５０が構成されている。他の構成は第１の実施例と略同様である。この場合にも、挿入防止壁４９の内側には、第１の実施例と同様に遊技盤５から前側に突出する外ガイドレール１４、飾り部材１６，１７，１８が近接して配置されているので、ピアノ線等の遊技領域１３側への挿入を阻止することができる。
【００３０】
図１１は本発明の第４の実施例を例示する。この実施例では、ガラス扉６、取り分けその扉枠４０の裏側に、外ガイドレール１４、飾り部材１６，１７，１８の外側近傍で遊技盤５の前面側へと後方に突出する挿入防止壁４９が一体に設けられている。なお、挿入防止壁４９は入口部３５に対応する切欠き部を除き周方向の略全周に設けられている。他の構成は図１０と略同様である。このように挿入防止壁４９を扉枠４０に一体に設けてもよい。
【００３１】
図１２は本発明の第５の実施例を例示する。この実施例では、ガラス扉６の扉枠４０から後方に突出する挿入防止壁４９の後端に、遊技盤５の前面に当接する舌片状の弾性体５６が設けられている。弾性体５６はその取り付け部５６ａが挿入防止壁４９に着脱自在に挿入されている。他の構成は図１１と略同様である。
【００３２】
この場合には、弾性体５６が遊技盤５に当接するため、ピアノ線等の遊技領域１３側への挿入を阻止することができる。また図１３に示すように、挿入防止壁４９を遊技盤５側に設けて、その挿入防止壁４９の前端に、扉枠４０の裏面に当接する弾性体５６を設ける場合には、扉枠４０の裏面に沿ってピアノ線等を挿入することが可能になる。しかし、図１２に示すように、扉枠４０から後方に突出する挿入防止壁４９の後端に弾性体５６を設けることによって、そのような問題も解消できる。
【００３３】
図１４は本発明の第６の実施例を例示する。この実施例では、扉枠４０の窓孔４３にガラスユニット４４が裏側から嵌合されている。そして、扉枠４０の裏側には、窓孔４３の外周近傍から遊技盤５側に突出する挿入防止壁４９が入口部３５に対応する部分を除いて一体に形成されている。他の構成は第１の実施例と略同様である。このようにしても、ピアノ線等の挿入を防止することができる。
【００３４】
図１５は本発明の第７の実施例を例示する。この実施例では、ガラスユニット４４の保持部材４６の後端面側に、外ガイドレール１４に対応して凹部５７が形成され、ガラス扉６を閉じたときに、その凹部５７に外ガイドレール１４の前端縁が嵌合するようになっている。なお、この場合には、保持部材４６の凹部５７よりも外側部分が挿入防止壁４９を構成し、外ガイドレール１４の嵌合部分が突出壁５０を構成している。このようにしても、ピアノ線等の挿入を防止することができる。
【００３５】
図１６は本発明の第８の実施例を例示する。この実施例では、ガラスユニット４４の保持部材４６の後端面側に、外ガイドレール１４の外側が後方に突出する段部５８が外ガイドレール１４に対応して形成され、ガラス扉６を閉じたときに、その段部５８に外ガイドレール１４の前端縁が当接又は近接するようになっている。なお、この場合には、保持部材４６の外ガイドレール１４よりも外側部分が挿入防止壁４９を形成している。このようにしても、ピアノ線等の挿入を防止することができる。
【００３６】
以上、本発明の各実施例について例示したが、本発明はこの実施例に限定されるものではない。例えば、実施例では、開閉扉としてガラス扉６を、複数枚の透明板を保持部材４６で保持した透明板ユニット４４として、ガラス板４５を備えたガラスユニット４４を例示しているが、透明板はガラス板４５以外のものを使用してもよい。またガラス板４５を使用する場合でも、そのガラス板４５が無色透明である必要はなく、遊技領域１３を視認可能なものであれば、有色透明でもよい。
【００３７】
挿入防止壁４９は保持部材４６、扉枠４０とは別体構造にしてもよい。また開閉扉６側から後方に突出する挿入防止壁４９に近接して、その内周側に前側へと突出する突出壁５０があることが望ましいが、その突出壁５０は実施例に例示の段部、凹部の一部で形成する他、外ガイドレール１４、飾り部材１６〜１８の外側面を利用して形成してもよい。また挿入防止壁４９の後端部と、遊技盤５又は遊技盤５側の部材とによって、前後方向に屈曲する隘路５１を形成することが望ましい。
【符号の説明】
【００３８】
５  遊技盤
６  開閉扉
１３  遊技領域
１４  ガイドレール
１６〜１８  飾り部材
４４  透明板ユニット
４５  透明板
４６  保持部材
４９  挿入防止壁
５０  突出壁
５７  凹部
【図１】
2010162383.tif 000003
【図２】
2010162383.tif 000004
【図３】
2010162383.tif 000005
【図４】
2010162383.tif 000006
【図５】
2010162383.tif 000007
【図６】
2010162383.tif 000008
【図７】
2010162383.tif 000009
【図８】
2010162383.tif 000010
【図９】
2010162383.tif 000011
【図１０】
2010162383.tif 000012
【図１１】
2010162383.tif 000013
【図１２】
2010162383.tif 000014
【図１３】
2010162383.tif 000015
【図１４】
2010162383.tif 000016
【図１５】
2010162383.tif 000017
【図１６】
2010162383.tif 000018
【手続補正書】
【提出日】平成22年5月10日(2010.5.10)
【手続補正１】
【補正対象書類名】特許請求の範囲
【補正対象項目名】全文
【補正方法】変更
【補正の内容】
【特許請求の範囲】
【請求項１】
遊技盤（５）の前側に、該遊技盤（５）の遊技領域（１３）に対応する窓孔（４３）に前記遊技領域（１３）を視認可能な透明板（４５）が設けられた開閉扉（６）を備え、前記遊技盤（５）の前面に、入口部（３５）から入った遊技球を前記遊技領域（１３）へと案内する外ガイドレール（１４）と、前記遊技領域（１３）の外周を取り囲む飾り部材（１７，１８）とを装着した弾球遊技機において、前記開閉扉（６）の裏側に前記窓孔（４３）の外周から前記遊技盤（５）側へと後方に突出して前記遊技領域（１３）への不正部材の挿入を防止する挿入防止壁（４９）を前記入口部（３５）に対応する部分を除く略全周に設けたことを特徴とする弾球遊技機。
【手続補正２】
【補正対象書類名】明細書
【補正対象項目名】０００８
【補正方法】変更
【補正の内容】
【０００８】
本発明は、遊技盤５の前側に、該遊技盤５の遊技領域１３に対応する窓孔４３に前記遊技領域１３を視認可能な透明板４５が設けられた開閉扉６を備え、前記遊技盤５の前面に、入口部３５から入った遊技球を前記遊技領域１３へと案内する外ガイドレール１４と、前記遊技領域１３の外周を取り囲む飾り部材１７，１８とを装着した弾球遊技機において、前記開閉扉６の裏側に前記窓孔４３の外周から前記遊技盤５側へと後方に突出して前記遊技領域１３への不正部材の挿入を防止する挿入防止壁４９を前記入口部３５に対応する部分を除く略全周に設けたものである。
【手続補正３】
【補正対象書類名】明細書
【補正対象項目名】０００９
【補正方法】削除
【補正の内容】